(57)【要約】【課題】  本発明の課題は、厨房装置である機器収納体単体に設置された炊飯器の各操作やご飯を装う作業などに関する工夫などに関して改善された使い勝手の良い厨房装置を提供することである。  【解決手段】  本発明では、スライド部と、前記スライド部の上部に位置する回転台と、を備える厨房装置において、前記回転台の回転時に前記スライド部の前方より突出する突出部を備えることを特徴とする厨房装置。を提供する。さらに、スライド部と、前記スライド部の上部に位置する回転台と、を備える厨房装置において、前記スライド部が収納された状態において、前記回転台が回転する際に前記スライド部の後部より突出しないことを特徴とする厨房装置をも提供する。【選択図】  図１
2005278775.tif 000002
【特許請求の範囲】
【請求項１】
スライド部と、前記スライド部の上部に位置する回転台と、を備える厨房装置において、前記回転台の回転時に前記スライド部の前方より突出する突出部を備えることを特徴とする厨房装置。
【請求項２】
スライド部と、前記スライド部の上部に位置する回転台と、を備える厨房装置において、前記スライド部が収納された状態において、前記回転台が回転する際に前記スライド部の後部より突出しないことを特徴とする厨房装置。
【発明の詳細な説明】
【技術分野】
【０００１】
本発明は、厨房装置に係り、特に炊飯器の設置、使用に好適な厨房装置に関する発明である。 
【背景技術】
【０００２】
従来の厨房装置においては、スライド棚の上部に回転棚はあった。 
この場合、キッチン側、テーブル側のどちら側からでも使用でき、使用時は回転棚が回動するので使い勝手が良かった。
【０００３】
しかし、この場合においてあくまでワーキングカウンターとの組み合わせにおける、使い勝手しか提案されてなかった。さらに厨房装置である機器収納体単体に設置された炊飯器の各操作やご飯を装う作業などに関する工夫は何ら改善されてなかった。 
【特許文献１】特開平６−５４７２２号公報
【発明の開示】
【発明が解決しようとする課題】
【０００４】
本発明は、上記問題を解決するためになされたもので、本発明の課題は、厨房装置である機器収納体単体に設置された炊飯器の各操作やご飯を装う作業などに関する工夫などに関して改善された使い勝手の良い厨房装置を提供することである。
【課題を解決するための手段】
【０００５】
上記目的を達成するために請求項１記載の発明のよれば、スライド部と、前記スライド部の上部に位置する回転台と、を備える厨房装置において、前記回転台の回転時に前記スライド部の前方より突出する突出部を備える。
したがって、厨房装置の奥行きよりも大きな奥行きを持つ炊飯器を設置する場合を考えると、使用時は炊飯器を前方に突出させ、問題なく炊飯器の蓋を開閉することができ、非使用時は厨房装置に突出せずに納めることができる。
【０００６】
また、請求項２記載の発明のよれば、スライド部と、前記スライド部の上部に位置する回転台と、を備える厨房装置において、前記スライド部が収納された状態において、前記回転台が回転する際に前記スライド部の後部より突出しない厨房装置を提供する。
よって収納されてされている炊飯器を実際に使用する状態までの移動手順として次に述べる２パターンのどちらの手順を用いても行うことができるので、使い勝手が向上する。
すなわち、スライド部を前方にスライドさせ、その後回転台を回転させるパターンと、回転台を回転させてから、スライド部を前方にスライドさせるパターンである。
【発明の効果】
【０００７】
本発明によれば、厨房装置の奥行より大きい奥行を持つ炊飯器が、非使用時は厨房装置の中に突出することなく納まり、使用時は前に出て、使い勝手が良くなるという効果がある。
【実施例】
【０００８】
本発明の第１実施例の厨房装置に関して説明する。
図１は第１実施例の概略図である。これは右側板１、左側板２、上部には天板３、下部には底板４を備え、下段は開き扉１１を有している。その開き扉１１の上部には手前に出てくるスライド棚６を備え、その上部には後述する回転機構部を介して取付けられる回転棚８がある。なお、本実施例ではスライド部として、回転棚を上部に持つスライド棚６とそのスライド棚６を前後方向にスライドするスライドレール７からなっている。
【０００９】
続いて、図２、図３を用いて、スライド棚と回転棚の動きに関して説明する。
図２は第１実施例のスライド棚６の前方に把手１０を手前に引出すことで、スライド棚が前方に出てきた図である。
次に図３は図２の状態より回転棚８の上面に手を置き、図中の矢印方向に動かす事により回動させた状態を示す。尚、図３の状態以上に回転することがない。すなわち、本実施例では図中斜線で示す突出部がスライド棚より突出した状態で止まるようになっている。
次に、回転棚の回転機構について説明する。図４は回転棚とスライド棚との間に配置される回転機構部である。
回転機構部自体は四角形状の上盤１２と下盤１３の間にボールベアリング１４をはさみ込む構造となっている。尚ここで、上盤１２、下盤１３それぞれの４個所で回転棚８とスライド棚６にビス固定されている。
よって、回転棚８を回動させることにより、ボールベアリング１４が、下盤１３に対して駆動する事により、固定されている回転棚８が所望の回動運動がなされる。
さらに次に、図中斜線で示す突出部がスライド棚６より突出した状態で止まるようになる機構について説明する。図４においてスライド棚６に備えられたピン１７と、前記ピン１７が可動可能なように設けられた回転棚８にある溝部１８と、が備えられている。またここで、溝部１８の両端をＡ、Ｂとすると、回転棚８が突出しないで収納されている状態において、ピンはＡの位置にあり、回転棚が突出した状態の時においては、ピンはＢの位置にある。よって、溝部１８の端部Ａ、Ｂがピンの動きを止める固定壁の役割をはたしている。
【００１０】
次に、実際に炊飯器を使用するときの状態について説明する。
図５は炊飯器がスライド棚から突出せずに収納された状態である。又、図６は回転棚を手前に回動させ、炊飯器がスライド棚から突出している状態である。
本実施例において各所の寸法について説明する。ここで、スライド棚の奥行き寸法をＣ、炊飯器の奥行き寸法をＤ、炊飯器の幅寸法をＥ、回転棚の幅寸法をＦとする。
ＤはＣより大きいので、炊飯器を縦向きで配置すると、炊飯器がスライド棚より突出してしまう。しかし、ＥはＣより小さいので、炊飯器を横向きで配置すれば、炊飯器はスライド棚に突出せずに済む。よって、炊飯器を厨房装置よりも突出することがなく収納できる。
【００１１】
また、図６の状態のようにＦはＣより大きいので、回転棚８はスライド棚６より突出する。よって、スライド棚６より突出した回転棚８の上部に炊飯器が載るので、炊飯器もスライド棚６より突出するので問題なく炊飯器の蓋の開閉ができ、炊飯器自体も正面を向いているので炊飯器の前面操作が容易にできる。
さらに回転棚８の端面はスライド棚の後端面より突出しないから、回転棚が回動する際にスライド棚の後端面より突出しないので、炊飯器を実際に使用する状態までの移動手順として次に述べる２パターンのどちらの手順を用いても行うことができるので、使い勝手が向上する。
すなわち、スライド部を前方にスライドさせ、その後回転台を回転させるパターンと、回転台を回転させてから、スライド部を前方にスライドさせるパターンである。
【図面の簡単な説明】
【００１２】
【図１】本発明の第１実施例を示す厨房装置の概略図である。
【図２】本発明の第１実施例を示す図１より、スライド棚が前方にスライドした図である。
【図３】本発明の第１実施例を示す図２より、回転棚が前方に回転した図である。
【図４】本発明の第１実施例を示す図１のスライド棚と回転棚を接続する回転盤の詳細図である。
【図５】本発明の第１実施例を示す図１に炊飯器を載せた状態を示す図である。
【図６】本発明の第１実施例を示す図５の状態より、回転棚を前方に回転させた図である。
【符号の説明】
【００１３】
１…右側板
２…左側板
３…天板
４…底板
５…裏板
６…スライド棚
７…スライドレール
８…回転棚
９…回転盤
１０…把手
１１…開き扉
１２…上盤
１３…下盤
１４…ボールベアリング
１５…ビス
１６…ビス穴
１７…ピン
１８…溝
１９…炊飯器
【図１】
2005278775.tif 000003
【図２】
2005278775.tif 000004
【図３】
2005278775.tif 000005
【図４】
2005278775.tif 000006
【図５】
2005278775.tif 000007
【図６】
2005278775.tif 000008